(57)【要約】【課題】安定して把持することができるハンディー型印刷装置を提供する。【解決手段】ハンディー型印刷装置１の正面に設けられた操作面５ａを有し、ユーザーによる入力操作が為されるキーボード５と、ハンディー型印刷装置１のユーザーから見た手前寄りで且つキーボード５に対して操作面５ａとは反対側に設けられ、テープＴに画像を印刷する印刷部１３とを備えた。筐体２には、印刷済みのテープＴが排出されるテープ排出口７が、ハンディー型印刷装置１のユーザーから見た手前寄りに設けられていることが好ましい。【選択図】図１
2016034713.tif 000002
【特許請求の範囲】
【請求項１】
ハンディー型印刷装置であって、
前記ハンディー型印刷装置の一の面に設けられた操作面を有し、ユーザーによる入力操作が為される入力部と、
前記ハンディー型印刷装置のユーザーから見た手前寄りで且つ前記入力部に対して前記操作面とは反対側に設けられ、印刷媒体に画像を印刷する印刷部と、
を備えたことを特徴とするハンディー型印刷装置。
【請求項２】
前記印刷部が収容された筐体、をさらに備え、
前記筐体には、印刷済みの前記印刷媒体が排出される媒体排出口が、前記ハンディー型印刷装置のユーザーから見た手前寄りに設けられていることを特徴とする請求項１に記載のハンディー型印刷装置。
【請求項３】
前記印刷部の隣に設けられ、電池が収容される電池収容部、をさらに備えたことを特徴とする請求項１または２に記載のハンディー型印刷装置。
【請求項４】
前記ハンディー型印刷装置のユーザーから見た先方部分は、前記操作面が設けられた前記一の面とは反対側に設けられた段部を介して、前記ハンディー型印刷装置のユーザーから見た手前部分よりも薄くされていることを特徴とする請求項１ないし３のいずれか一項に記載のハンディー型印刷装置。
【請求項５】
前記ハンディー型印刷装置のユーザーから見た先方寄りで且つ前記操作面が設けられた前記一の面とは反対側に設けられ、任意の物を収納可能な収納部、をさらに備え、
前記収納部を除いて見た場合に、前記ハンディー型印刷装置のユーザーから見た先方部分は、前記操作面が設けられた前記一の面とは反対側に設けられた段部を介して、前記ハンディー型印刷装置のユーザーから見た手前部分よりも薄くされていることを特徴とする請求項１ないし３のいずれか一項に記載のハンディー型印刷装置。
【請求項６】
前記ハンディー型印刷装置のユーザーから見た手前寄りに設けられ、ユーザーにより把持される把持部、をさらに備えたことを特徴とする請求項１ないし５のいずれか一項に記載のハンディー型印刷装置。
【請求項７】
前記入力部に対して前記操作面とは反対側で且つ前記ハンディー型印刷装置のユーザーから見た手前寄りに設けられ、前記印刷媒体がセットされる媒体セット部、をさらに備えたことを特徴とする請求項１ないし６のいずれか一項に記載のハンディー型印刷装置。
【請求項８】
前記入力部は、前記ハンディー型印刷装置のユーザーから見た手前寄りに設けられていることを特徴とする請求項１ないし７のいずれか一項に記載のハンディー型印刷装置。
【請求項９】
前記ハンディー型印刷装置のユーザーから見た先方寄りに設けられた表示部、をさらに備えたことを特徴とする請求項１ないし８のいずれか一項に記載のハンディー型印刷装置。
【請求項１０】
前記印刷部は、
前記印刷媒体を送るローラーを回転させる駆動源となるモーターと、
前記モーターの動力を、前記ローラーに伝達するギア列と、
前記ギア列を支持するフレームと、
前記印刷媒体に画像を印刷する印刷ヘッドと、
を有することを特徴とする請求項１ないし９のいずれか一項に記載のハンディー型印刷装置。
【発明の詳細な説明】
【技術分野】
【０００１】
本発明は、ユーザーが把持した状態で使用されるハンディー型印刷装置に関するものである。
【背景技術】
【０００２】
従来、ハンディー型印字ラベル作成装置であって、ハンディー型印字ラベル作成装置のユーザーから見た手前寄りに設けられた把持部と、モーターを含む複数の機構を備えたハンディー型印字ラベル作成装置が知られている。このハンディー型印字ラベル作成装置では、ハンディー型印字ラベル作成装置の重心位置が把持部に対応する位置範囲内にくるように複数の機構を配置することで、ハンディー型印字ラベル作成装置の持ちやすさを向上させている。すなわち、複数の機構のうち、例えば、モーターは、ハンディー型印字ラベル作成装置の手前寄りに設けられ、フレームは、ハンディー型印字ラベル作成装置の先方寄りに設けられている（特許文献１参照）。
【先行技術文献】
【特許文献】
【０００３】
【特許文献１】特開２０１０−２７４６３８号公報
【発明の概要】
【発明が解決しようとする課題】
【０００４】
本発明者は、以下の課題を見出した。
ハンディー型印刷装置において、印刷媒体に画像を印刷する印刷部は、例えばフレームやモーターといった重量物を有している。これらの重量物が、ハンディー型印刷装置全体に分散して配置されていると、たとえハンディー型印刷装置の重心位置が把持部に対応する位置範囲内に位置していても、ユーザーがハンディー型印刷装置のユーザーから見た手前部分を把持した際に、ハンディー型印刷装置がぐらつきやすくなる。そのため、ハンディー型印刷装置を安定して把持することが困難となってしまう。
【０００５】
本発明は、安定して把持することができるハンディー型印刷装置を提供することを課題としている。
【課題を解決するための手段】
【０００６】
本発明のハンディー型印刷装置は、ハンディー型印刷装置の一の面に設けられた操作面を有し、ユーザーによる入力操作が為される入力部と、ハンディー型印刷装置のユーザーから見た手前寄りで且つ入力部に対して操作面とは反対側に設けられ、印刷媒体に画像を印刷する印刷部と、を備えたことを特徴とする。
【０００７】
この構成によれば、印刷部がハンディー型印刷装置のユーザーから見た手前寄りに設けられるため、重量物を含む印刷部の各構成要素を、ハンディー型印刷装置のユーザーから見た手前寄りに集約して配置することができる。これにより、ハンディー型印刷装置の重量バランスを向上させることができる。すなわち、ハンディー型印刷装置において、マスの集中化を図ることができる。したがって、ユーザーがハンディー型印刷装置のユーザーから見た手前部分を把持した際に、ハンディー型印刷装置がぐらつくことが抑制され、ハンディー型印刷装置を安定して把持することができる。
なお、印刷部が入力部に対して操作面とは反対側に設けられるため、印刷部が入力部に対してユーザーから見た手前側或いは先方側に並べて設けられる場合に比べ、ハンディー型印刷装置のユーザーから見た手前側と先方側とを結ぶ方向におけるサイズを小さくすることができる。
【０００８】
この場合、印刷部が収容された筐体、をさらに備え、筐体には、印刷済みの印刷媒体が排出される媒体排出口が、ハンディー型印刷装置のユーザーから見た手前寄りに設けられていることが好ましい。
【０００９】
この構成によれば、媒体排出口がハンディー型印刷装置のユーザーから見た先方寄りに設けられている場合に比べ、媒体排出口から排出された印刷媒体の印刷結果を、容易に視認することができる。また、先端部が媒体排出口から露出した印刷媒体を、容易に手に取って媒体排出口から取り出すことができる。
【００１０】
この場合、印刷部の隣に設けられ、電池が収容される電池収容部、をさらに備えたことが好ましい。
【００１１】
この構成によれば、重量物である電池を、重量物を含む印刷部の各構成要素と共に集約して収容することができる。これにより、ハンディー型印刷装置の重量バランスを向上させることができる。
【００１２】
この場合、ハンディー型印刷装置のユーザーから見た先方部分は、操作面が設けられた一の面とは反対側に設けられた段部を介して、ハンディー型印刷装置のユーザーから見た手前部分よりも薄くされていることが好ましい。
【００１３】
この構成によれば、ユーザーがハンディー型印刷装置のユーザーから見た手前部分を把持した際に、ハンディー型印刷装置の一の面とは反対側の面に設けられた段部に指を掛けることができる。これにより、ハンディー型印刷装置の持ちやすさを向上させることができる。
【００１４】
この場合、ハンディー型印刷装置のユーザーから見た先方寄りで且つ操作面が設けられた一の面とは反対側に設けられ、任意の物を収納可能な収納部、をさらに備え、収納部を除いて見た場合に、ハンディー型印刷装置のユーザーから見た先方部分は、操作面が設けられた一の面とは反対側に設けられた段部を介して、ハンディー型印刷装置のユーザーから見た手前部分よりも薄くされていることが好ましい。
【００１５】
この構成によれば、収納部を除いて見た場合に、ハンディー型印刷装置のユーザーから見た先方部分が手前部分に比べて薄くされているため、ハンディー型印刷装置のユーザーから見た先方寄りに収納部を設けた場合にも、ハンディー型印刷装置全体をコンパクトな形状にすることができる。
【００１６】
この場合、ハンディー型印刷装置のユーザーから見た手前寄りに設けられ、ユーザーにより把持される把持部、をさらに備えたことが好ましい。
【００１７】
この構成によれば、ハンディー型印刷装置のユーザーから見た手前寄りに把持部が設けられているため、ユーザーがハンディー型印刷装置のユーザーから見た手前部分を容易に把持することができる。
【００１８】
この場合、入力部に対して操作面とは反対側で且つハンディー型印刷装置のユーザーから見た手前寄りに設けられ、印刷媒体がセットされる媒体セット部、をさらに備えたことが好ましい。
【００１９】
この構成によれば、印刷媒体を、重量物を含む印刷部の各構成要素と共に集約してセットすることができる。これにより、印刷媒体が比較的重量物である場合にも、ハンディー型印刷装置の重量バランスを向上させることができる。
【００２０】
この場合、入力部は、ハンディー型印刷装置のユーザーから見た手前寄りに設けられていることが好ましい。
【００２１】
この構成によれば、入力部への入力操作時に、ユーザーの一方の手による入力部への押圧力を、ハンディー型印刷装置のユーザーから見た手前部分を把持した他方の手によって受けることができる。したがって、入力部への入力操作中に、ハンディー型印刷装置がぐらつくことを抑制することができる。
【００２２】
この場合、ハンディー型印刷装置のユーザーから見た先方寄りに設けられた表示部、をさらに備えたことが好ましい。
【００２３】
この場合、印刷部は、印刷媒体を送るローラーを回転させる駆動源となるモーターと、モーターの動力を、ローラーに伝達するギア列と、ギア列を支持するフレームと、印刷媒体に画像を印刷する印刷ヘッドと、を有することが好ましい。
【図面の簡単な説明】
【００２４】
【図１】本発明の一実施形態に係るハンディー型印刷装置の構成を模式的に示す図であって、（ａ）は斜視図、（ｂ）は右側面図である。
【図２】第１の変形例に係るハンディー型印刷装置の構成を模式的に示す図であって、（ａ）は斜視図、（ｂ）は右側面図である。
【図３】第２の変形例に係るハンディー型印刷装置の構成を模式的に示す図であって、（ａ）は斜視図、（ｂ）は右側面図である。
【発明を実施するための形態】
【００２５】
以下、添付の図面を参照し、本発明の一実施形態に係るハンディー型印刷装置について説明する。
なお、以下では、図に示した「手前側」「先方側」「正面側」「裏面側」「右側」「左側」を用いて説明する。これらは、ユーザーが通常の仕方でハンディー型印刷装置を把持した際に、ユーザーから見た方向を意味する。すなわち、ハンディー型印刷装置について、ユーザーに近い側を「手前側」といい、ユーザーに遠い側を「先方側」という。また、ユーザーに向いた側を「正面側」といい、その反対側を「裏面側」という。さらに、ユーザーに向かって右側を「右側」といい、ユーザーに向かって左側を「左側」という。
【００２６】
図１に示すように、ハンディー型印刷装置１は、筐体２と、把持部３と、開閉蓋４と、キーボード５と、ディスプレイ６とを備えている。
【００２７】
筐体２は、ハンディー型印刷装置１の手前側と先方側とを結ぶ方向に長い、略直方体状の外観を呈している。筐体２の手前側の面の右方寄りには、テープ排出口７が設けられている。テープ排出口７は、筐体２の厚さ方向に延びるスリット状に形成されている。テープ排出口７からは、印刷済みのテープＴが排出される。
なお、テープ排出口７は、「媒体排出口」の一例である。
【００２８】
把持部３は、筐体２の左右両側面の手前寄りに設けられている。すなわち、筐体２は、先方部分８に比べて、手前部分９が幅狭に形成されており、手前部分９の左右両側面が把持部３となっている。把持部３は、ユーザーがハンディー型印刷装置１を使用する際に、ユーザーにより把持される箇所となる。
【００２９】
開閉蓋４は、筐体２の正面手前寄りに設けられている。開閉蓋４は、略矩形板状の外観を呈している。開閉蓋４は、先方側の端部に設けられたヒンジ１０を中心として開閉する。ユーザーが開閉蓋４を開けると、後述するカートリッジ装着部１２および電池収容部１４が露出する。ユーザーは、テープカートリッジＣの交換時や、電池の交換時に、開閉蓋４を開閉する。
【００３０】
キーボード５は、開閉蓋４に組み込まれている。開閉蓋４の正面は、ユーザーによる入力操作が為されるキーボード５の操作面５ａとなっている。操作面５ａには、複数のキー１１が設けられている。ディスプレイ６は、筐体２の正面後方寄りに設けられている。ディスプレイ６は、ユーザーに対して、キーボード５からの入力結果などを表示する。ユーザーは、ディスプレイ６に表示された入力結果を確認しながら、キーボード５から印刷したい文字などを入力する。
【００３１】
さらに、ハンディー型印刷装置１は、筐体２の内部に、カートリッジ装着部１２と、印刷部１３と、電池収容部１４と、電源部１５と、制御部１６とを備えている。
なお、カートリッジ装着部１２は、「媒体セット部」の一例である。
【００３２】
カートリッジ装着部１２は、キーボード５に対して操作面５ａとは反対側つまり裏面側に設けられている。カートリッジ装着部１２には、テープカートリッジＣが着脱可能に装着される。テープカートリッジＣには、印刷媒体であるテープＴと、インクリボンＲと、プラテンローラーＰとが収容されている。
【００３３】
印刷部１３は、カートリッジ装着部１２と同様に、キーボード５に対して操作面５ａとは反対側に設けられている。印刷部１３は、テープカートリッジＣから繰り出されたテープＴに対し、キーボード５からの入力結果に基づいて、画像を印刷する。印刷部１３は、モーター２１と、ギア列２２と、印刷ヘッド２３と、テープカッター２４と、排出ローラー２５と、フレーム２６とを備えている。
【００３４】
モーター２１は、カートリッジ装着部１２に装着されたテープカートリッジＣのプラテンローラーＰを回転させる駆動源となる。ギア列２２は、モーター２１の動力を、プラテンローラーＰに伝達する。すなわち、モーター２１の動力が、ギア列２２を介してプラテンローラーＰに伝達されることにより、プラテンローラーＰが回転する。プラテンローラーＰが回転すると、プラテンローラーＰと印刷ヘッド２３との間で挟持されたテープＴが、テープ排出口７に向けて送られる。印刷ヘッド２３は、サーマルタイプのものである。印刷ヘッド２３が発熱駆動することにより、送られていくテープＴに対して、画像が印刷される。
【００３５】
テープカッター２４は、例えばハサミ形式により、テープＴの印刷済み部分を切り離す。なお、テープカッター２４は、モーター２１の動力により動作するものであってもよく、手動で動作するものであってもよい。排出ローラー２５は、テープ排出口７の近くに設けられている。排出ローラー２５は、印刷後に切り離されたテープＴつまりテープ片Ｔａを、テープ排出口７から引き出し可能に保持する。
【００３６】
フレーム２６は、モーター２１、ギア列２２、印刷ヘッド２３、テープカッター２４および排出ローラー２５を支持している。すなわち、印刷部１３の各部は、フレーム２６を介して、一体化されている。フレーム２６の材質としては、重量を軽くすべく、樹脂を用いることも考えられるが、必要な強度を確保すべく、例えば板金を用いることが好ましい。
【００３７】
電池収容部１４は、印刷部１３の先方側の隣に設けられている。換言すれば、電池収容部１４は、長手方向において、ハンディー型印刷装置１の略中間部に設けられている。電池収容部１４には、電池（図示省略）が収容される。
【００３８】
電源部１５は、印刷部１３の先方寄りに設けられている。電源部１５は、電池収容部１４に収容された電池から供給される電源電圧に基づいて、ハンディー型印刷装置１の各部に対して適切な出力電圧を供給する。電源部１５は、電源回路基板と、電源回路基板に実装されたコンデンサー等の回路素子とを備えている。
【００３９】
制御部１６は、電源部１５と共に、印刷部１３の先方寄りに設けられている。制御部１６は、ハンディー型印刷装置１の各部を制御している。制御部１６は、制御回路基板と、制御回路基板に実装されたＣＰＵ（Central Processing Unit）や各種メモリー等の回路素子とを備えている。
【００４０】
以上のように、本実施形態のハンディー型印刷装置１によれば、印刷部１３がハンディー型印刷装置１の手前寄りに設けられている。このため、モーター２１やフレーム２６といった重量物を含む印刷部１３の各構成要素を、ハンディー型印刷装置１の手前寄りに集約して配置することができる。これにより、ハンディー型印刷装置１の重心をハンディー型印刷装置１の手前寄りに位置させることができると共に、ハンディー型印刷装置１の重量バランスを向上させることができる。すなわち、ハンディー型印刷装置１において、マスの集中化を図ることができる。したがって、ユーザーがハンディー型印刷装置１の手前寄りに設けられた把持部３を把持した際に、ハンディー型印刷装置１がぐらつくことが抑制され、ハンディー型印刷装置１安定して把持することができる。また、本実施形態のハンディー型印刷装置１によれば、印刷部１３がキーボード５に対して操作面５ａとは反対側に設けられる。このため、印刷部１３がキーボード５に対して手前側或いは先方側に並べて設けられる場合に比べ、ハンディー型印刷装置１の長手方向におけるサイズを小さくすることができる。
【００４１】
本実施形態のハンディー型印刷装置１によれば、テープ排出口７が筐体２の手前側の面に設けられている。このため、テープ排出口７が筐体２の先方寄りに設けられている場合に比べ、テープ排出口７から排出されたテープＴの印刷結果を、容易に視認することができる。また、排出ローラー２５により保持された状態で先端部がテープ排出口７から露出したテープ片Ｔａを、容易に手に取ってテープ排出口７から取り出すことができる。
【００４２】
本実施形態のハンディー型印刷装置１によれば、電池収容部１４が印刷部１３の隣に設けられている。このため、重量物である電池を、重量物を含む印刷部１３の各構成要素と共に集約して収容することができる。これにより、ハンディー型印刷装置１の重量バランスを向上させることができる。
【００４３】
本実施形態のハンディー型印刷装置１によれば、ハンディー型印刷装置１の手前寄りに把持部３が設けられているため、ユーザーがハンディー型印刷装置１の手前部分９を容易に把持することができる。
【００４４】
本実施形態のハンディー型印刷装置１によれば、カートリッジ装着部１２がハンディー型印刷装置１の手前寄りに設けられている。このため、テープカートリッジＣを、重量物を含む印刷部１３の各構成要素と共に集約して収容することができる。これにより、テープカートリッジＣが比較的重量物である場合にも、ハンディー型印刷装置１の重量バランスを向上させることができる。
【００４５】
本実施形態のハンディー型印刷装置１によれば、キーボード５がハンディー型印刷装置１の手前寄りに設けられている。このため、キーボード５への入力操作時に、ユーザーの一方の手によるキーボード５への押圧力を、ハンディー型印刷装置１の把持部３を把持した他方の手によって受けることができる。したがって、キーボード５への入力操作中に、ハンディー型印刷装置１がぐらつくことを抑制することができる。
【００４６】
なお、本発明は上記した実施形態に限定されず、その趣旨を逸脱しない範囲で種々の構成を採用可能であることは言うまでもない。例えば、本実施形態は、以下のような形態に変更することができる。
【００４７】
図２に示すように、ハンディー型印刷装置１の先方部分８は、操作面５ａが設けられた正面とは反対側つまり裏面に設けられた段部３１を介して、ハンディー型印刷装置１の手前部分９よりも薄くされていてもよい。この構成によれば、ユーザーがハンディー型印刷装置１の把持部３を把持した際に、ハンディー型印刷装置１の裏面に設けられた段部３１に指を掛けることができる。これにより、ハンディー型印刷装置１の持ちやすさを向上させることができる。
【００４８】
図３に示すように、ハンディー型印刷装置１の先方寄りで且つ裏面側には、収納部３２を設けてもよい。この場合、収納部３２を除いて見た場合に、図２に示した変形例と同様に、ハンディー型印刷装置１の先方部分８は、裏面に設けられた段部３１を介して、ハンディー型印刷装置１の手前部分９よりも薄くされていることが好ましい。これにより、ハンディー型印刷装置１の手前寄りに収納部３２を設けた場合にも、ハンディー型印刷装置１全体をコンパクトな形状にすることができる。
なお、収納部３２には、テープ排出口７から取り出されたテープ片Ｔａ、予備のテープカートリッジＣ、予備の電池など、任意のものを収納可能である。
【００４９】
テープ排出口７は、ハンディー型印刷装置１の手前寄りに設けられる場合、手前側の面に限らず、右側面、左側面、正面および裏面のいずれに設けられてもよく、複数の面に跨って設けられてもよい。
キーボード５およびディスプレイ６に代えて、タッチパネル式ディスプレイが設けられ、タッチパネル式ディスプレイを、入力部および表示部として機能させてもよい。この場合、タッチパネル式ディスプレイは、例えばハンディー型印刷装置１の正面全体や先方寄りに設けられてもよいが、キーボード５について上述したように、操作性の点からは、ハンディー型印刷装置１の手前寄りに設けることが好ましい。
開閉蓋４は、ハンディー型印刷装置１の正面ではなく、裏面などの他の面に設けられてもよい。この場合、ディスプレイ６は、開閉蓋４とは別にされ、ハンディー型印刷装置１の正面に設けられる。
テープＴを送るプラテンローラーＰは、テープカートリッジＣ側ではなく、ハンディー型印刷装置１側、つまり印刷部１３に設けられもよい。また、テープＴは、テープカートリッジＣとしてハンディー型印刷装置１に装着される必要はなく、テープＴそれ自体がハンディー型印刷装置１に装着される構成であってもよい。印刷媒体としては、テープＴのほか、ロール紙、単票紙などを用いることも可能である。
【符号の説明】
【００５０】
１：ハンディー型印刷装置
５：入力部
５ａ：操作面
１３：印刷部
Ｔ：テープ
【図１】
2016034713.tif 000003
【図２】
2016034713.tif 000004
【図３】
2016034713.tif 000005